(57)【要約】      （修正有）【課題】顔枕用のカバーを提供する。【解決手段】顔を埋めた際に呼吸を楽にするための通気部１０１を備えた顔枕１００に取り付けるための顔枕用カバー２００であって、シート材２０１を筒形状に形成した筒状部材２０２と、筒状部材の一端辺に沿って取り付けられ、一端辺を絞ることのできる紐状部材とを備え、筒状部材は通気部の厚み以上の長さを有する顔枕用カバーを提供し、筒状部材を顔枕の通気部の内部に挿入し、紐状部材により、顔枕の外周に固定する。【選択図】図２
0003224716.tif 000002
【実用新案登録請求の範囲】
【請求項１】
顔を埋めた際に呼吸を楽にするための通気部を備えた顔枕に取り付けるための顔枕用カバーであって、
シート材を筒形状に形成した筒状部材と、
前記筒状部材の一端辺に沿って取り付けられ、前記一端辺を絞ることのできる紐状部材と、
を備え、
前記筒状部材は前記通気部の厚み以上の長さを有するカバー。
【請求項２】
前記紐状部材は弾性部材であり、前記一端辺は、伸長状態で、前記顔枕の外周よりも長く、自然状態で、前記顔枕の外周よりも短い請求項１に記載のカバー。
【考案の詳細な説明】
【技術分野】
【０００１】
本考案は、顔枕（フェイスマット）用のカバーに関する。
【背景技術】
【０００２】
上記技術分野において、特許文献１には、マッサージ用のドーナツ型クッションが開示されている。
【先行技術文献】
【特許文献】
【０００３】
【特許文献１】特開２００６−３３４３６６号公報
【考案の概要】
【考案が解決しようとする課題】
【０００４】
しかしながら、上記文献に記載の技術では、枕の上面のみをカバーするものであり、十分に枕の汚れを回避することができなかった。
本考案の目的は、上述の課題を解決する技術を提供することにある。
【課題を解決するための手段】
【０００５】
上記目的を達成するため、本考案にかかる顔枕用カバーは、
顔を埋めた際に呼吸を楽にするための通気部を備えた顔枕に取り付けるための顔枕用カバーであって、
シート材を筒形状に形成した筒状部材と、
前記筒状部材の一端辺に沿って取り付けられ、前記一端辺を絞ることのできる紐状部材と、
を備え、
前記筒状部材は前記通気部の厚み以上の長さを有する。
【考案の効果】
【０００６】
本考案によれば、より確実に顔枕の汚れを抑止できる顔枕用カバーを提供できる。
【図面の簡単な説明】
【０００７】
【図１】本考案の実施形態に係る顔枕用カバーを取り付けることのできる顔枕を説明する図である。
【図２】本考案の実施形態に係る顔枕用カバーの構成を示す図である。
【図３】本考案の実施形態に係る顔枕用カバーの構成を示す図である。
【図４】本考案の実施形態に係る顔枕用カバーの構成を示す図である。
【図５】本考案の実施形態に係る顔枕用カバーの構成を示す断面図である。
【図６】本考案の他の実施形態に係る顔枕用カバーの構成を示す図である。
【考案を実施するための形態】
【０００８】
以下に、図面を参照して、本考案の実施の形態について例示的に詳しく説明する。ただし、以下の実施の形態に記載されている構成要素はあくまで例示であり、本考案の技術範囲をそれらのみに限定する趣旨のものではない。
【０００９】
本考案の実施形態としての顔枕用カバーを取り付けることのできる顔枕１００について、図１を用いて説明する。
【００１０】
図１に示すように、顔枕１００は、うつぶせになったユーザ１１０が顔を埋めた際に呼吸を楽にするための通気部１０１を備えている。顔枕１００は、マッサージ用ベッド１２０の開口部１２１の上方に通気部１０１が配置されるように位置あわせされて、マッサージ用ベッド１２０上に載置される。
【００１１】
図２は、顔枕用カバー２００の製造方法およびその取り付け方法について説明するための図である。
【００１２】
顔枕用カバー２００は、顔枕１００に取り付けるための顔枕用カバー２００であって、平面状のシート材２０１から形成されている。平面形状で柔らかい素材であれば、天然繊維からなる布や、紙や、合成繊維からなる不織布などでもよいし、ビニールレザーでもよい。シート材２０１は１枚に限定されるものではなく、２枚以上重なっていてもよく、綿入りのキルティングなどの生地でもよい。
【００１３】
顔枕用カバー２００は、このようなシート材２０１を筒形状に形成した筒状部材２０２と、筒状部材２０２の端辺２０３に沿って取り付けられた弾性部材２０４と、を備える。筒状部材２０２の端辺２０３は、弾性部材２０４が縮むことにより、径小となっており、全体として、顔枕用カバー２００は、スカートのような形状となる。
【００１４】
シート材２０１の縦幅Ｌ、つまり筒状部材２０２の長さＬは顔枕１００の通気部１０１の厚み以上の長さを有する。図２に示すように、端辺２０３とは逆側の端辺２０５が、顔枕１００の通気部１０１に挿入されると、状態２０６のように、端辺２０５は、通気部１０１の下方に突き抜けた状態となる。
【００１５】
ここでは、先に端辺２０５を通気部１０１に挿入してから、弾性部材２０４側の端辺２０３を顔枕１００全体に取り付けたが、逆に、弾性部材２０４側の端辺２０３を顔枕１００全体に取り付けた後に、端辺２０５を通気部１０１に挿入してもよい。
【００１６】
図３に示すように、この状態で、弾性部材２０４が取り付けられた端辺２０３側を広げて、顔枕１００全体に覆い被せることができる。結果としてシート材２０１は、図２の状態から裏返しになる。これが可能になると言うことはすなわち、弾性部材２０４は、伸長状態で、顔枕１００の外周よりも長く、自然状態で、顔枕の外周よりも短く形成されている。ここで顔枕１００の外周とは、顔枕１００の外径にπを積算したものである。弾性部材２０４は、ゴムを用いることが生産性の面から有利だが、紐や面ファスナーを利用して、端辺２０３の周長を変化させてもよい。つまり、顔枕１００を端辺２０３の中に入れた後に端辺２０３を絞り、顔枕用カバー２００が離脱しないようにできれば、どのような機構でもよい。筒状部材の端辺２０３に沿って取り付けられ、端辺２０３を絞ることのできる部材であれば弾性部材に限らず、あらゆる紐状部材を採用できる。状態３０１は、完成状態であるが、通常は、ベッド１２０に置かれた顔枕１００に対して行なうため、端辺２０５は、ベッド１２０に設けられた開口部１２１の中まで落ち込ませることが可能となる。
【００１７】
図４は、顔枕用カバー２００を取り付けた状態の顔枕１００を上方から見た図である。また、図５は、顔枕用カバー２００を取り付けた状態の顔枕１００をベッド１２０に取り付けた際の断面図である。顔枕用カバー２００の端辺２０５が通気部１０１に落ち込んでいるが、顔枕用カバー２００は、全体として筒状であるため、うつぶせに寝たユーザ１１０の呼吸を妨げることはない。
【００１８】
このような顔枕用カバー２００により、顔枕１００およびベッド１２０は、汚れにくく、臭いが付きにくく、非常に長く、清潔な状態を保つことができる。
なお、図６に示すように、本考案にかかる顔枕用カバー２００は、ドーナツ状の顔枕６００に対しても同様に取り付けることが可能である。
【００１９】
［他の実施形態］
以上、実施形態を参照して本願考案を説明したが、本願考案は上記実施形態に限定されるものではない。本願考案の構成や詳細には、本願考案の技術的範囲で当業者が理解し得る様々な変更をすることができる。
【図１】
0003224716.tif 000003
【図２】
0003224716.tif 000004
【図３】
0003224716.tif 000005
【図４】
0003224716.tif 000006
【図５】
0003224716.tif 000007
【図６】
0003224716.tif 000008